(57)【要約】【課題】ハンドオーバ処理中の不快音の発生を抑制する移動通信端末装置及び音声受信方法を提供する。【解決手段】音声復号部は、ハンドオーバの処理中であるとの通知があるかを調べ（ステップ１１ｃ）、それがあれば、直ちに無音置換処理を行う（ステップ１１ｈ）と共に、ハンドオーバ処理の終了後、正常なフレームが所定回数連続したかを調べ（ステップ１１ｉ）、所定回数連続した場合に、無音置換を続けるモードを解除する（ステップ１１ｊ）ことにより、ハンドオーバに起因する不快音の発生を抑制する。【選択図】　図４
2004129006.tif 000002
【特許請求の範囲】
【請求項１】
基地局から送られた電磁波を受信し、当該受信した電磁波を復調して得られた所定時間幅のデジタル音声信号を含むフレームから前記デジタル音声信号を得て出力する受信手段と、
前記受信手段から出力されたデジタル音声信号をアナログ変換してアナログ音声信号を出力する出力手段と、
前記出力手段から出力されたアナログ音声信号から音声を発生する発音手段とを有する移動通信端末装置であって、
前記出力手段は、前記基地局の切替え処理中は無音置換処理を行うことを特徴とする移動通信端末装置。
【請求項２】
前記基地局の切替え処理中であることを判断する制御手段を有し、前記出力手段は、前記制御手段からの前記基地局の切替え処理中の通知を受けて前記無音置換処理を行うことを特徴とする請求項１記載の移動通信端末装置。
【請求項３】
前記受信手段は、前記フレームに含まれる冗長情報を用いて前記デジタル音声信号が正常に得られたものか否かの判定を行い、
前記出力手段は、前記受信手段によって前記デジタル音声信号が異常と判定される場合も前記無音置換処理を行うことを特徴とする請求項１記載の移動通信端末装置。
【請求項４】
前記出力手段は、前記基地局の切替え処理を終了した後であって、前記受信手段によって前記デジタル音声信号が正常であると判定され、且つ、その判定が所定回数連続したことによって前記無音置換処理を終了することを特徴とする請求項３記載の移動通信端末装置。
【請求項５】
基地局から送られた電磁波を受信して、
当該受信した電磁波を復調して得られた所定時間幅のデジタル音声信号を含むフレームから前記デジタル音声信号を得て、そのデジタル音声信号をアナログ音声信号に変換して音声を発生する音声受信方法であって、
前記基地局の切替え処理中は無音置換処理を行うことを特徴とする音声受信方法。
【請求項６】
前記フレームに含まれる冗長情報を用いて前記デジタル音声信号が異常と判定される場合も前記無音置換処理を行うことを特徴とする請求項５記載の音声受信方法。
【請求項７】
前記基地局の切替え処理を終了した後であって、前記デジタル音声信号が正常であると判定され、且つ、その判定が所定回数連続したことによって前記無音置換処理を終了することを特徴とする請求項６記載の音声受信方法。
【発明の詳細な説明】
【０００１】
【発明の属する技術分野】
本発明は、ハンドオーバ処理中の不快音の発生を抑制する移動通信端末装置及び音声受信方法に関する。
【０００２】
【従来の技術】
携帯電話などのデジタル方式の移動通信端末装置においては、アナログ音声信号を所定時間幅に分割し、それぞれをデジタル変換したデジタル音声信号に冗長情報を付加したフレームと呼ばれる単位で送受信している。
【０００３】
ここで、受話にあたり、電磁波が充分な強度で受信できないなどの理由で、フレームを正しく受信できないことがある。フレームを正しく受信できない際には、そのフレームから得られるデジタル音声信号も正しくなく、それをアナログ変換してスピーカから発音させると、意味のない、不快な音声が発生することになる。なお、冗長情報を用いた訂正処理によって正しいフレームが得られる場合には、フレームを正しく受信できるとみなす。
【０００４】
そこで、フレームに含まれる冗長情報を用いて、フレームが正常に受信できたかを調査する。そして、誤って受信されたことが判定されると、それに含まれるデジタル音声信号を発音させないように無音置換の処理を行って、不快音の発生を抑制する方法が採られている。即ち、受話器から一切発音させず、または、直前の正常に受信できたフレームに含まれる音声を音量を下げて発生させるなどの処理を行う。
【０００５】
ところが、微弱な電磁波環境下では、フレームが正常に受信できないことが断続的に発生し、正常な受信音声の再生と無音置換が短時間ごとに切替えて行われるため、この場合には不快音が発生していた。特に、移動通信端末装置が基地局のセルの境界付近を移動し、ある基地局との通信から他の基地局との通信へ切替える処理、即ち、ハンドオーバ処理の間には、この不快音の発生が著しかった。
【０００６】
そこで、フレームが正常に受信できないことが断続的に発生する場合の不快音の抑制を行う方法が開示されている。その従来の方法は、誤って受信したフレームが所定回数以上連続すると無音置換の処理を行い、また、誤って受信したフレームが所定回数以上連続しないと無音置換の処理を解除するものである（例えば、特許文献１参照。）。
【０００７】
【特許文献１】
特開２０００−６８９６２号公報（第２−３頁、図１）
【０００８】
【発明が解決しようとする課題】
しかしながら、上述した従来の方法では、フレームが正常に受信できないことが断続的に発生する場合に発生する不快音、特に、ハンドオーバ処理の間に発生する不快音を抑制することができない問題点があった。
【０００９】
本発明は、上記問題点を解決するためになされたもので、ハンドオーバ処理中の不快音の発生を抑制する移動通信端末装置及び音声受信方法を提供することを目的とする。
【００１０】
【課題を解決するための手段】
上記目的を達成するために、本発明の移動通信端末装置は、基地局から送られた電磁波を受信し、当該受信した電磁波を復調して得られた所定時間幅のデジタル音声信号を含むフレームから前記デジタル音声信号を得て出力する受信手段と、前記受信手段から出力されたデジタル音声信号をアナログ変換してアナログ音声信号を出力する出力手段と、前記出力手段から出力されたアナログ音声信号から音声を発生する発音手段とを有する移動通信端末装置であって、前記出力手段は、前記基地局の切替え処理中は無音置換処理を行うことを特徴とする。
【００１１】
本発明によれば、ハンドオーバの処理の開始と同時に無音置換処理を開始することができ、ハンドオーバに起因する不快音の発生を抑制することができる。
【００１２】
【発明の実施の形態】
以下に、本発明による移動通信端末装置の実施の形態を、図面を参照して説明する。図１は、本発明の実施形態に係る移動通信端末装置を示すブロック図である。この移動通信端末装置は、装置全体の制御を行う制御装置１と、アンテナ２ａと、通信装置２ｂと、送受信装置３と、スピーカ４ａと、マイクロフォン４ｂと、通話装置４ｃと、利用者からの操作指示を入力する入力装置５と、利用者へ情報の提示を行う出力装置６とからなる。
【００１３】
図２は上記通話装置４ｃの詳細な構成を示すブロック図である。通話装置４ｃは、音声復号部４ｄと、増幅器４ｆと、増幅器４ｇと、音声符号部４ｈとからなる。また、音声復号部４ｄはＤＡ変換器４ｅを有し、音声符号部４ｈはＡＤ変換器４ｉを有する。
【００１４】
上記のように構成された、本発明の実施形態に係る移動通信端末装置の動作を説明する。制御装置１は、装置全体の制御を行い、その中にはハンドオーバ処理の制御を含む。即ち、装置が通信する基地局を、ある基地局から別の基地局へ切替える処理の制御をも行う。通信装置２ｂは、アンテナ２ａが受信した高周波信号を送受信装置３へ出力し、また、送受信装置３が出力する高周波信号をアンテナ２ａより送信する。
【００１５】
次に、送受信装置３の動作を説明する。送受信装置３は、通信装置２ｂからの高周波信号を増幅、周波数変換及び復調し、それによって得たフレームからデジタル音声信号及び制御信号を得る。この際、フレームに含まれる冗長情報によって、フレームが正しく受信できたかの誤り検出を例えばＣＲＣ（Ｃｙｃｌｉｃ　Ｒｅｄｕｎｄａｎｃｙ　Ｃｈｅｃｋ）検出法を用いて行い、誤りが検出された場合には誤り訂正を行なう。
【００１６】
続いて、得られたデジタル音声信号を通話装置４ｃへ送り、併せてフレームが正しく受信できたか否か、即ち、得られたデジタル音声信号が正しいかを通話装置４ｃへ通知する。また、得られた制御信号を制御装置１へ送る。ここで、誤り訂正によって正しい信号に訂正できた場合には、フレームが正しく受信でき、得られたデジタル音声信号が正しいと通知する。
【００１７】
送受信装置３は、更に、通話装置４ｃが出力するデジタル音声信号、及び制御装置１が出力する制御信号を変調、周波数変換及び増幅し、高周波信号を得てそれを通信装置２ｂへ送る。
【００１８】
次に、通話装置４ｃの動作を説明する。まず、音声復号部４ｄの動作を説明する。音声復号部４ｄは、制御装置１の指示に従って送受信装置３より送られるデジタル音声信号を復号、アナログ変換して、得られたアナログ音声信号を増幅器４ｆへ送ってスピーカ４ａから音声を発生させ、かつ、そのデジタル音声信号が正常でない場合には音声を発生させない処理をも行う装置である。
【００１９】
音声復号部４ｄの動作は、ハンドオーバ処理の際にはそれ以外の場合と異なる。そこで、ハンドオーバ処理の開始前からその完了後まで、５段階に分けて動作の説明をする。図３は、ハンドオーバ処理の開始前からその完了後までの５段階を示す。
【００２０】
第１段階（Ｔ１）は、切替え前の基地局と通信をして、ハンドオーバ処理の開始前である。第１段階（Ｔ１）では、殆どのデジタル音声信号が正常である。
【００２１】
第２段階（Ｔ２）は、制御装置１がハンドオーバ処理を制御している段階であり、その制御に基づき、基地局との通信に用いる電磁波の周波数の変更を含む処理が行われている段階である。第２段階（Ｔ２）では、デジタル音声信号が正常でないことが断続的に発生する。
【００２２】
第３段階（Ｔ３）は、制御装置１がハンドオーバ処理の制御を終えたが、まだ通信が不安定な段階である。第３段階（Ｔ３）では、デジタル音声信号が正常でないことが断続的に発生する。
【００２３】
第４段階（Ｔ４）は、通信が安定化する段階である。第５段階（Ｔ５）は、通信が安定した段階である。第５段階（Ｔ５）では、第１段階（Ｔ１）と同じく、殆どのデジタル音声信号が正常である。
【００２４】
次に、図４を参照して音声復号部４ｄの動作を説明する。図４は、音声復号部４ｄの動作のフローチャートを示す。音声復号部４ｄは、通話相手方との通話開始、即ち音声チャネルのオープンの際に、制御装置１の起動により動作を開始する（ステップ１１ａ）。続いて、送受信装置３より１フレームに含まれるデジタル音声信号を受信する（ステップ１１ｂ）。
【００２５】
以降の動作を、上記の５段階（Ｔ１〜Ｔ５）に分けて説明する。まず、第１段階（Ｔ１）、即ち、切替え前の基地局と通信し、ハンドオーバ処理の開始前の動作を説明する。まず、制御装置１よりハンドオーバ処理中であるとの通知があるかを調べる（ステップ１１ｃ）。第１段階（Ｔ１）ではこの通知がなく、続いて、送受信装置３からの通知によって、ステップ１１ｂで得たデジタル音声信号が正常であるかを判断する（ステップ１１ｄ）。
【００２６】
もし、デジタル音声信号が正常であれば、次に、音声復号部４ｄがハンドオーバ処理のモードにあるかを調べる（ステップ１１ｅ）。第１段階（Ｔ１）では音声復号部４ｄはハンドオーバ処理のモードになく、次に、送受信装置３より受信したデジタル音声信号を復号し、ＤＡ変換器４ｅへ送ってアナログ音声信号に変換させ、それを増幅器４ｆを介してスピーカ４ａへ送る（ステップ１１ｆ）。
【００２７】
一方、ステップ１１ｄでデジタル音声信号に異常が検出されれば、無音置換、即ち、そのフレームのデジタル音声信号は捨てられて、増幅器４ｆを介してスピーカ４ａにアナログ音声信号が送出されることはなく（ステップ１１ｈ）、ステップ１１ｂへ戻って、次のフレーム処理を行う。
【００２８】
次に、第２段階（Ｔ２）、即ち、制御装置１がハンドオーバ処理を行っている段階の動作を説明する。デジタル音声信号を得て（ステップ１１ｂ）、制御装置１よりハンドオーバ中の通知があるかを調べ（ステップ１１ｃ）、第２段階（Ｔ２）では、その通知があるので、音声復号部４ｄのモードをハンドオーバ処理のモードに設定する（ステップ１１ｇ）。これにより、音声復号部４ｄは無音置換を行う（ステップ１１ｈ）。従って、この第２段階（Ｔ２）では、増幅器４ｆを介してスピーカ４ａにアナログ音声信号が送出されることはなく、ステップ１１ｂへ戻って、次のフレーム処理を行う。
【００２９】
次に、第３段階（Ｔ３）、即ち、制御装置１がハンドオーバ処理を終えたが、まだ通信が不安定な段階の動作を説明する。デジタル音声信号を得て（ステップ１１ｂ）、制御装置１よりハンドオーバ中の通知があるかを調べるが（ステップ１１ｃ）、この段階ではその通知はないので、ステップ１１ｄに進み、デジタル音声信号が正常かを調べる。そしてもし、デジタル音声信号が異常と判断されると無音置換を行う（ステップ１１ｈ）。
【００３０】
一方、もし、デジタル音声信号が正常と判断されると、音声復号部４ｄのモードがハンドオーバ処理のモードにあるかを調べる（ステップ１１ｅ）。第２段階（Ｔ２）で、音声復号部４ｄのモードがハンドオーバ処理のモードに設定されているので、ステップ１１ｉに進み、正常なデジタル音声信号が所定回数以上連続したかを調べる。この段階では、正常なデジタル音声信号が所定回数以上連続することはなく、無音置換を行う（ステップ１１ｈ）。
【００３１】
従って、この第３段階（Ｔ３）では、いずれの場合でも増幅器４ｆを介してスピーカ４ａにアナログ音声信号が送出されることはなく、ステップ１１ｂへ戻って、次のフレーム処理を行う。
【００３２】
次に、第４段階（Ｔ４）、即ち、通信が不安定から安定に変化する段階の動作を説明する。この段階の動作は第３段階（Ｔ３）の動作と殆ど同じであるが、ステップ１１ｉが繰り返し実行されると所定回数を超えるため、ステップ１１ｉで正常なデジタル音声信号が所定回数以上連続したと判断される。これにより、音声復号部４ｄのハンドオーバ処理のモードを解除して（ステップ１１ｊ）、デジタル音声信号をＤＡ変換器４ｅへ送ってアナログ音声信号に変換させ、それを増幅器４ｆを介してスピーカ４ａへ送る（ステップ１１ｆ）。
【００３３】
次に、第５段階（Ｔ５）、即ち、切替え後の基地局との通信を行っている段階の動作を説明する。この段階では、ステップ１１ｃでハンドオーバの通知があると判断されることはなく、ステップ１１ｅでハンドオーバ処理のモードと判断されることもないので、この段階の動作は、第１段階（Ｔ１）における動作と全く同じである。
【００３４】
音声復号部４ｄは、通話相手方との通話終了、即ち音声チャネルのクローズの際に、制御装置１の指示により、任意のステップで動作を終了する。
【００３５】
次に、増幅器４ｆの動作を説明する。増幅器４ｆは、音声復号部４ｄが出力するアナログ音声信号を増幅し、スピーカ４ａに送って発音させる。
【００３６】
次に、増幅器４ｇの動作を説明する。増幅器４ｇは、マイクロフォン４ｂが出力するアナログ音声信号を増幅し、それを音声符号部４ｈへ送る。次に、音声符号部４ｈの動作を説明する。音声符号部４ｈは、増幅器４ｇが出力するアナログ音声信号をＡＤ変換器４ｉへ送ってデジタル音声信号に変換させ、それを符号化して送受信装置３へ送る。
【００３７】
次に、入力装置５の動作を説明する。入力装置５は、複数のキーからなり、制御装置１の起動により動作を開始し、利用者が操作したキーを識別するコードを制御装置１へ通知して動作を終了する。
【００３８】
次に、出力装置６の動作を説明する。出力装置６は、例えばＬＣＤの表示装置であり、制御装置１より起動されることにより、表示動作を開始する。入力装置５からの入力操作に応答して制御装置１より起動されるまで、同じ表示動作を続ける。
【００３９】
本実施形態では、無音置換処理は、音声を発生させない処理としたが、直前の正常なデジタル音声信号の音声を、音量を下げて発生させても良い。また、異常なデジタル音声信号が連続する場合には、最近の正常なデジタル音声信号の音声を段階的に音量を下げて発生させ、所定回数以上の異常なデジタル音声信号の連続の場合には音声を発生させない処理としても良い。
【００４０】
更に、ハンドオーバ処理の際の無音置換処理は、その他の場合の無音変換処理とは異なっていてもよい。本発明は以上の構成に限定されるものではなく、種々の変形が可能である。
【００４１】
【発明の効果】
以上述べたように、本発明によれば、ハンドオーバの処理の開始と同時に無音置換処理を開始することができ、ハンドオーバに起因する不快音の発生を抑制することができる。
【図面の簡単な説明】
【図１】本発明の実施形態に係る移動通信端末装置を示すブロック図。
【図２】本発明の実施形態に係る通話装置を示すブロック図。
【図３】本発明の実施形態に係るハンドオーバの際のフレームの異常発生状況及び受信音声の発生状況の概念図。
【図４】本発明の実施形態に係る音声復号部の動作を示すフローチャート。
【符号の説明】
１　制御装置
３　送受信装置
４ａ　スピーカ
４ｃ　通話装置
４ｄ　音声復号部
４ｅ　ＤＡ変換器
４ｆ　増幅器
【図１】
2004129006.tif 000003
【図２】
2004129006.tif 000004
【図３】
2004129006.tif 000005
【図４】
2004129006.tif 000006